(57)【要約】本発明は、ＬＥＤ照明システムに関し、製造単価及び維持補修費用が節減され、寿命が向上したＬＥＤ照明システムに関する。
2014502413.tif 000002
【特許請求の範囲】
【請求項１】
ＬＥＤ素子を備える光源部、及び前記光源部を収容するハウジングを含む複数の照明装置；及び
前記複数の照明装置と互いに離隔して電気的に連結され、前記複数の照明装置を駆動する駆動装置；を含むＬＥＤ照明システム。
【請求項２】
前記駆動装置は、電力供給源から供給される電力を消費する電力需要部の室内で前記複数の照明装置と互いに空間的に離隔して配置され、前記駆動装置は、電気線によって前記複数の照明装置に電気的に連結され、
前記駆動装置は、電力供給源の交流電力を前記ＬＥＤ素子を駆動する直流電力に切り替えるＡＣ―ＤＣコンバーターを含むことを特徴とする、請求項１に記載のＬＥＤ照明システム。
【請求項３】
前記光源部は、前記ＬＥＤ素子が電気的に連結されるように装着される印刷回路基板をさらに含み、前記印刷回路基板は電極部を備え、前記駆動装置は、前記電極部に直流電力を直接供給することを特徴とする、請求項１に記載のＬＥＤ照明システム。
【請求項４】
前記照明装置は、前記ハウジングの下部に結合され、電力需要部に設置されたソケットに締結されるソケット形状のプラグをさらに含み、前記ソケット形状のプラグは、前記駆動装置から直流電力を直接受け、前記ソケット形状のプラグは前記電極部に直接連結されることを特徴とする、請求項３に記載のＬＥＤ照明システム。
【請求項５】
前記駆動装置は、電力供給源の交流電力を前記ＬＥＤ素子を駆動する直流電力に切り替えるＡＣ―ＤＣコンバーターを含むことを特徴とする、請求項１に記載のＬＥＤ照明システム。
【請求項６】
前記駆動装置は、電力供給源から供給される電力を消費する電力需要部に備えられる漏電遮断器と前記照明装置との間に位置することを特徴とする、請求項１に記載のＬＥＤ照明システム。
【請求項７】
前記ＡＣ―ＤＣコンバーターは、前記電力供給源の交流電力が入力される電力入力部と、前記交流電力を直流電力に切り替える単一コンバーティング部と、前記直流電力を前記複数の照明装置に供給する電力出力部と、を含んで構成されることを特徴とする、請求項２又は５に記載のＬＥＤ照明システム。
【請求項８】
前記ＡＣ―ＤＣコンバーターは、前記電力供給源の交流電力が入力される電力入力部と、前記交流電力を直流電力に切り替える複数のコンバーティング部と、前記直流電力を前記複数の照明装置に供給する複数の電力出力部と、を含んで構成されることを特徴とする、請求項２又は５に記載のＬＥＤ照明システム。
【請求項９】
前記複数のコンバーティング部は、前記ＡＣ―ＤＣコンバーターに個別的に着脱できるように備えられることを特徴とする、請求項８に記載のＬＥＤ照明システム。
【請求項１０】
ＬＥＤ素子を備える光源部、及び前記光源部を収容するハウジングを含む複数の照明装置；及び
複数のＡＣ―ＤＣコンバーター、及び前記複数のＡＣ―ＤＣコンバーターを制御する制御部を備え、前記複数の照明装置を駆動する駆動装置；を含むＬＥＤ照明システム。
【請求項１１】
前記駆動装置は、電力供給源から供給される電力を消費する電力需要部の室内で前記複数の照明装置と互いに空間的に離隔して配置され、前記駆動装置は、電気線によって前記複数の照明装置に電気的に連結されることを特徴とする、請求項１０に記載のＬＥＤ照明システム。
【請求項１２】
前記複数のＡＣ―ＤＣコンバーターのうち一つのコンバーターは、平常時に電力供給源から供給される交流電力を直流電力に切り替えて前記複数の照明装置に供給するメーンコンバーターで、前記複数のＡＣ―ＤＣコンバーターのうち残りのコンバーターは、前記メーンコンバーターを補助して前記複数の照明装置に直流電力を供給するサブコンバーターであることを特徴とする、請求項１０に記載のＬＥＤ照明システム。
【請求項１３】
前記サブコンバーターは、前記複数の照明装置が前記メーンコンバーターの既に設定された定格電力を超える電力を必要とする場合、前記定格電力を超える電力を前記複数の照明装置に直流電力として供給したり、又は前記メーンコンバーターの誤作動時に作動することを特徴とする、請求項１２に記載のＬＥＤ照明システム。
【請求項１４】
前記駆動装置は、前記複数の照明装置が要する消費電力量又は前記メーンコンバーターの出力電力量を感知する電力感知部と、前記駆動装置の作動状態を表示する表示部と、をさらに備えることを特徴とする、請求項１３に記載のＬＥＤ照明システム。
【請求項１５】
前記制御部は、前記電力感知部で感知された消費電力量に基づいて前記複数のＡＣ―ＤＣコンバーターのうち電力供給源の交流電力を供給するコンバーターの数量を決定することを特徴とする、請求項１４に記載のＬＥＤ照明システム。
【請求項１６】
前記制御部は、前記消費電力量が前記メーンコンバーターの既に設定された定格電力を超えるか否かを判断することを特徴とする、請求項１４に記載のＬＥＤ照明システム。
【請求項１７】
前記制御部は、前記消費電力量が前記メーンコンバーターの既に設定された定格電力を超えると判断する場合、電力供給源の交流電力が前記サブコンバーターにさらに供給されるように前記メーンコンバーター又は前記サブコンバーターを制御することを特徴とする、請求項１６に記載のＬＥＤ照明システム。
【請求項１８】
前記制御部は、前記複数の照明装置の消費電力量又は前記メーンコンバーターの出力電力量に基づいて前記メーンコンバーターの誤作動の有無を判断することを特徴とする、請求項１４に記載のＬＥＤ照明システム。
【請求項１９】
前記制御部は、前記メーンコンバーターが誤作動していると判断する場合、前記サブコンバーターを作動させることを特徴とする、請求項１７に記載のＬＥＤ照明システム。
【請求項２０】
ＬＥＤ素子；
前記ＬＥＤ素子が電気的接触方式で装着され、電力を受ける電極部が備えられる印刷回路基板；及び
前記ＬＥＤ素子及び前記印刷回路基板を収容するハウジング；を含み、
前記電極部には、供給された電力の電流が前記ＬＥＤ素子の定格電流範囲内にあるように電力の電流を制御する定電流制御器が備えられるか、又は、前記印刷回路基板には、供給された電力の電流が前記ＬＥＤ素子の定格電流範囲内にあるように電力の電流を制御する定電流制御回路が形成されているＬＥＤ照明装置。
【請求項２１】
前記ＬＥＤ素子は、前記ハウジングの外部に配置され、前記ＬＥＤ素子と電気線で連結されたＡＣ―ＤＣコンバーターによって直流電力を受けることを特徴とする、請求項２０に記載のＬＥＤ照明装置。
【発明の詳細な説明】
【技術分野】
【０００１】
本発明は、ＬＥＤ照明システムに関し、製造単価及び維持補修費用が節減され、寿命が向上したＬＥＤ照明システムに関する。
【背景技術】
【０００２】
伝統的に、照明装置として白熱灯、ハロゲン灯、放電灯などが多く使用されている。最近は、ＬＥＤ（Ｌｉｇｈｔ  Ｅｍｉｔｉｎｇ  Ｄｉｏｄｅ）を用いた照明装置が注目を受けている。ＬＥＤ照明装置は、ＬＥＤ素子を光源として用いるものである。ＬＥＤ素子は、半導体のＰ―Ｎ接合構造を用いて注入した少数キャリアを生成させた後、前記少数キャリアの再結合によって発光させる装置である。ＬＥＤ素子の発光波長は、添加される不純物の種類によって異なり、これによって赤色、青色、黄色を作ることができ、これらを適宜組み合わせて白色も具現することができる。このようなＬＥＤ照明装置は、白熱灯、ハロゲン灯などの光源に比べて小型で、寿命が長く、効率が良く、高速応答であるという利点を有する。
【０００３】
図１は、従来技術に係るＬＥＤ照明装置１の分解斜視図で、従来技術に係るＬＥＤ照明装置１は、図１に示したように、レンズユニット３、ＬＥＤモジュール５、及びＡＣ―ＤＣ電源装置７を含む。特に、従来技術に係るＬＥＤ照明装置１は、電力供給源Ｓの外部電力（一般に、２２０Ｖの交流電力）をＬＥＤモジュールを駆動するための直流電力（一般に、ＬＥＤモジュールの両端に３Ｖの直流電圧印加）に切り替えて電力を供給するＡＣ―ＤＣ電源装置７を必須の構成要素とし、従来技術に係るＬＥＤ照明装置１において、ＡＣ―ＤＣ電源装置７はＬＥＤモジュール５と非常に近接して又は接触方式で装着される。
【０００４】
現在、ＬＥＤ照明装置においてＡＣ―ＤＣ電源装置の原価比重は約２０％を占めており、今後、ＬＥＤモジュールの原価が継続して下落する傾向にあり、ＬＥＤ照明装置においてＡＣ―ＤＣ電源装置の原価比重はさらに増加すると予想されるので、ＡＣ―ＤＣ電源装置の原価を節減できるＬＥＤ照明装置に対する必要性が提起されてきた。また、一般に、ＬＥＤモジュールの発光時、ＬＥＤモジュールの温度が約７０℃〜７５℃まで上昇するので、従来技術のＬＥＤ照明装置では、ＬＥＤモジュールとＡＣ―ＤＣ電源装置が非常に近接して位置しており、ＬＥＤモジュールの発熱によってＡＣ―ＤＣ電源装置の寿命が低減するという問題があった。その結果、ＬＥＤモジュールの寿命が残っているにもかかわらず、ＡＣ―ＤＣ電源装置の寿命が尽きることにより、ＬＥＤ照明装置全体を取り替えなければならないという問題があった。
【発明の概要】
【発明が解決しようとする課題】
【０００５】
本発明の目的は、従来技術に係る問題を解決できるＬＥＤ照明システムを提供することにある。
【０００６】
また、本発明の目的は、製造原価及び維持補修費用を節減できるＬＥＤ照明システムを提供することにある。
【０００７】
また、本発明の目的は、寿命が向上したＬＥＤ照明システムを提供することにある。
【課題を解決するための手段】
【０００８】
前記の目的を達成するために、本発明は、ＬＥＤ素子を備える光源部、及び前記光源部を収容するハウジングを含む複数の照明装置；及び前記複数の照明装置と互いに離隔して電気的に連結され、前記複数の照明装置を駆動する駆動装置；を含むＬＥＤ照明システムを提供する。
【０００９】
本発明の他の実施形態によると、本発明は、ＬＥＤ素子を備える光源部、及び前記光源部を収容するハウジングを含む複数の照明装置；及び複数のＡＣ―ＤＣコンバーター、及び前記複数のＡＣ―ＤＣコンバーターを制御する制御部を備え、前記複数の照明装置を駆動する駆動装置；を含むＬＥＤ照明システムを提供する。
【発明の効果】
【００１０】
上述した本発明に係るＬＥＤ照明システムの効果は、次に示す通りである。
【００１１】
本発明に係るＬＥＤ照明システムは、ＬＥＤ照明装置においてＡＣ―ＤＣ電源装置を除去し、製造原価を節減できるという利点を有する。
【００１２】
また、本発明に係るＬＥＤ照明システムは、ＬＥＤ照明装置においてＡＣ―ＤＣ電源装置を別途に管理することができ、維持補修費用を節減できるという利点を有する。
【００１３】
また、本発明に係るＬＥＤ照明システムは、ＬＥＤ照明装置においてＡＣ―ＤＣ電源装置を除去し、ＬＥＤ照明装置を小型化できるという利点を有する。
【００１４】
また、本発明に係るＬＥＤ照明システムは、既存の電気設備をそのまま利用できるという利点を有する。
【００１５】
また、本発明に係るＬＥＤ照明システムは、ＬＥＤ照明装置とＡＣ―ＤＣ電源装置が空間的に離隔しており、ＬＥＤ照明システムの寿命を向上させるという利点を有する。
【図面の簡単な説明】
【００１６】
【図１】従来技術に係るＬＥＤ照明装置の分解斜視図である。
【図２】本発明に係るＬＥＤ照明システムの概略図である。
【図３】本発明に係る照明装置の分解斜視図である。
【図４】本発明の一実施例に係る駆動装置のブロック線図である。
【図５】図４の変形実施例に係る駆動装置のブロック線図である。
【図６】本発明の他の一実施例に係る駆動装置のブロック線図である。
【図７】図６の他の一実施例に係る駆動装置の作動アルゴリズムを示すフローチャートである。
【図８】図７の作動アルゴリズムの変形実施例に対するフローチャートである。
【発明を実施するための形態】
【００１７】
以下、添付の各図面を参照して本発明の好適な各実施例を詳細に説明する。しかし、本発明は、ここで説明する各実施例に限定されるものではなく、他の形態に具体化することもできる。むしろ、ここで紹介する各実施例は、開示された内容を徹底的かつ完全にするために、そして、当業者に本発明の思想を十分に伝達するために提供されるものである。明細書全体にわたる同一の参照番号は同一の構成要素を示す。
【００１８】
図２は、本発明に係るＬＥＤ照明システム１０の概略図である。
【００１９】
図２に示したように、本発明に係るＬＥＤ照明システム１０は、ＬＥＤ素子２４ａを備えた複数の照明装置２０と、前記複数の照明装置２０を駆動する駆動装置３０とを含む。
【００２０】
複数の照明装置２０は、ソケット型ＬＥＤ照明装置、蛍光灯型ＬＥＤ照明装置、パネル型ＬＥＤ照明装置であり得る。すなわち、前記照明装置２０は、ＬＥＤ素子２４ａを含むものであれば如何なる照明装置も可能である。
【００２１】
このようにＬＥＤ素子２４ａを含む照明装置２０は、電力供給源Ｓが提供する高電圧の交流電力をＬＥＤ素子２４ａの駆動に必要な低電圧の直流電圧に切り替えるＡＣ―ＤＣコンバーター４０を必須の構成要素とする。しかし、本発明に係るＬＥＤ照明システム１０に含まれた照明装置２０は、ＡＣ―ＤＣコンバーター４０を含んでいない。その代わりに、本発明に係るＬＥＤ照明システム１０は、複数の照明装置２０に含まれるべきＡＣ―ＤＣコンバーター４０を別途の装置に統合した駆動装置３０を備える。
【００２２】
すなわち、本発明によると、ＬＥＤ素子２４ａを備える照明装置２０において原価比重の大きいＡＣ―ＤＣコンバーター４０を除去し、除去されたＡＣ―ＤＣコンバーター４０を一つの駆動装置３０内に統合して構成する。照明装置２０の詳細な構成については、図３を参考にして後で説明することにする。
【００２３】
その結果、本発明は、照明装置２０の製造単価又は原価を相当節減することができる。また、本発明は、図1に示したように、照明装置において相当部分の空間を占めるＡＣ―ＤＣコンバーターの省略によって照明装置全体のサイズを小型化することができる。
【００２４】
駆動装置３０は、前記複数の照明装置２０と互いに離隔して電気的に連結されている。すなわち、前記駆動装置３０は、発熱量（約７０℃ないし８０℃まで温度が上昇する）の大きいＬＥＤ素子２４ａと空間的に離隔して電線などで連結されている。その結果、本発明に係るＬＥＤ照明システム１０では、ＬＥＤ素子２４ａの発熱による駆動装置３０の寿命低減現象が防止され、ＬＥＤ照明システム１０全体の寿命を向上させることができる。
【００２５】
また、駆動装置３０の駆動時にも、駆動装置３０の温度が５０℃ないし６５℃まで上昇するが、駆動装置３０の発熱によるＬＥＤ素子２４ａの寿命低減現象を防止することができ、結局、ＬＥＤ照明システム１０全体の寿命を向上させることができる。
【００２６】
駆動装置３０は、電力供給源Ｓが供給する高電圧の交流電力をＬＥＤ素子２４ａの駆動のための低電圧直流電力に切り替えるＡＣ―ＤＣコンバーター４０を含む。前記ＡＣ―ＤＣコンバーター４０は、従来技術に係るＬＥＤ照明装置に内蔵される小型ＡＣ―ＤＣではなく、複数の照明装置２０の消費電力量より大きい定格電力を有する統合ＡＣ―ＤＣコンバーター４０である。
【００２７】
望ましくは、前記駆動装置３０の外部ハウジングには、駆動装置３０の駆動熱を外部に放出する放熱部（図示せず）を備えることができる。
【００２８】
望ましくは、前記駆動装置３０は、電力供給源Ｓが提供する電力を消費する電力需要部（例えば、家庭又は事務室など）の室内に備えられ、使用者が駆動装置３０の作動状態及び照明装置２０の作動状態を容易に把握できるようにする。
【００２９】
図３は、本発明に係る照明装置２０の分解斜視図である。図３を参考にして、照明装置２０の詳細な構成について説明する。
【００３０】
図３に示したように、照明装置２０は、ＬＥＤ素子２４ａ、及び前記ＬＥＤ素子２４ａが電気的接触方式で装着される印刷回路基板２４ｂを備える光源部２４と、前記ＬＥＤ素子２４ａから放出された光を一定方向に照射するように誘導するレンズユニット２２と、前記光源部２４を収容するハウジング２６と、前記ハウジング２６の一側に装着され、電力需要部に設置された照明設置部（図示せず）に装着される機構部とを含む。
【００３１】
レンズユニット２２は、光透過性又は光半透過性素材からなる。また、レンズユニット２２は、照明装置２０の用途に合わせてＬＥＤ素子２４ａの光の方向性を調節するように構成したり、又は光の照射範囲を調節するように構成することができる。
【００３２】
レンズユニット２２の一側には、ＬＥＤ素子２４ａの光が前方に集中して放出されるようにする反射部材２３が備えられる。前記レンズユニット２２と反射部材２３は、カバーリング２１によってハウジング２６に結合することができる。
【００３３】
図３に示したように、光源部２４は、ＬＥＤ素子２４ａと、前記ＬＥＤ素子２４ａの一側に電気的接触方式で連結された印刷回路基板２４ｂとを含む。
【００３４】
印刷回路基板２４ｂ又はＬＥＤ素子２４ａは、電力を受ける電極部２４ｃを備える。前記電極部２４ｃは、後述するソケット形状のプラグに電気的に直接連結することもでき、駆動装置３０に電気的に直接連結することもできる。
【００３５】
その結果、ＬＥＤ素子２４ａは、駆動装置３０から直流電力を直接受けることができる。すなわち、本発明の照明装置２０は、ＡＣ―ＤＣコンバーターを備えず、ＬＥＤ素子２４ａの電極部２４ｃを通して駆動装置３０からの直流電力を直接受けることができる。
【００３６】
望ましくは、前記ＬＥＤ素子２４ａの駆動時に、前記ＬＥＤ素子２４ａの温度が約７０℃ないし８０℃まで上昇するので、前記ＬＥＤの温度を減少させるために、前記印刷回路基板２４ｂの一側には放熱板を備えることができる。
【００３７】
ハウジング２６は、レンズユニット２２、反射部材２３及び光源部２４を収容する。前記ハウジング２６は、ＬＥＤ素子２４ａから発生する熱を外部に放出するために、ＬＥＤ素子２４ａが装着された印刷回路基板２４ｂの一側に備えられた放熱板と接触方式で連結される。このとき、前記ハウジング２６は、ヒートシンクとしての役割をし、前記ハウジング２６の外面には、熱放出効率を向上させるために、表面積を増加させる複数の放熱フィンを形成することができる。前記ハウジング２６は、熱伝導性に優れた金属材質からなることが望ましい。
【００３８】
前記ハウジング２６の中央には中空部があり、前記印刷回路基板２４ｂ又は前記ＬＥＤ素子２４ａの電極部２４ｃがハウジング２６を貫通し得る。
【００３９】
ハウジング２６の一側には、照明装置２０を電力需要部（例えば、家庭又は事務室など）に設置された照明設置部に着脱方式又は固定方式で容易に装着するための機構部が備えられる。前記機構部は、既存の照明設置部に対応する形状に形成することができ、その例として、前記機構部はソケット形状のプラグ２７であり得る。以下では、説明の便宜性及び理解の容易性のために、ソケット方式の照明設置部に対応するソケット型照明装置２０について記述する。しかし、これは例示的なものであって、本発明がこれに制限されることはない。
【００４０】
ハウジング２６の一側には、駆動装置３０とＬＥＤ素子２４ａとを電気的に連結するソケット形状のプラグ２７が備えられる。前記ソケット形状のプラグ２７には、印刷回路基板２４ｂ又はＬＥＤ素子２４ａの電極部２４ｃが電気的接触方式で直接連結されており、前記ソケット形状のプラグ２７が電力需要部の照明設置部に設置される場合、駆動装置３０から直流電力を受けて、前記ＬＥＤ素子２４ａに前記直流電力を直接伝達する。
【００４１】
上述したように、本発明に係る照明装置２０は、ＡＣ―ＤＣコンバーターを含んでいないので、照明装置の原価を相当減少させることができ、照明装置２０の寿命が尽きたり、又は照明装置２０が故障したときに低価の照明装置２０のみを取り替えればよいので、維持補修費用を相当節減することができる。また、ＡＣ―ＤＣコンバーターの駆動熱によるＬＥＤ素子２４ａの損傷を防止することができ、ＬＥＤ素子２４ａの寿命をさらに向上させることができる。さらに、図1に示したように、ＡＣ―ＤＣコンバーターが照明装置内で占める空間を節約することができ、ＬＥＤ照明装置のサイズを相当小型化することができ、空間活用度及び機構設計に対する自由度が相当向上し得る。
【００４２】
本発明に係る照明装置の変形実施例（図示せず）として、前記照明装置は、光を放出するＬＥＤ素子２４ａと、前記ＬＥＤ素子が電気的接触方式で装着される印刷回路基板２４ｂと、前記ＬＥＤ素子及び前記印刷回路基板を収容するハウジング２６と、前記駆動装置３０から供給される直流電力（又は出力電力）の電流が前記ＬＥＤ素子の定格電流範囲内にあるように前記駆動装置の直流電力（又は出力電力）の電流を制御し、前記ＬＥＤ素子の定格電流範囲内にある定電流を前記ＬＥＤ素子に供給する定電流制御手段（図示せず）とを含むことができる。このとき、前記印刷回路基板は、駆動装置からの直流電力を受ける電極部２４ｃを備えることができる。
【００４３】
望ましくは、前記定電流制御手段は、前記ハウジング内に収容されて前記電極部に連結される定電流制御器であるか、又は、前記印刷回路基板に形成された定電流制御回路であり得る。
【００４４】
本発明に係るＬＥＤ照明装置の変形実施例によると、ＬＥＤ照明装置の類型がソケット型ＬＥＤ照明装置、蛍光灯型ＬＥＤ照明装置、パネル型ＬＥＤ照明装置などと多様であり、それぞれのＬＥＤ照明装置の定格電流（又は定格電力）が異なるとしても、それぞれのＬＥＤ照明装置にそれぞれのＬＥＤ照明装置の固有の定格電流（又は定格電力）範囲内にある定電流を提供することができ、過電流によるＬＥＤ素子の損傷を防止できるだけでなく、駆動装置からの出力電力とは関係なく安定的な定電流（又は電力）を受けることができ、前記駆動装置の効用性をさらに向上させることができ、ＬＥＤ照明装置の本然の色度及び光度を均一に獲得することができる。
【００４５】
特に、前記定電流制御手段が印刷回路基板に形成された定電流制御回路である場合、ＬＥＤ照明装置を小型化することができ、ＬＥＤ照明装置の設計自由度及び設置自由度を向上させることができる。
【００４６】
図４は、本発明の一実施例に係る駆動装置３０のブロック線図である。図４に示したように、本発明の一実施例に係る駆動装置３０は、電力供給源Ｓから供給される電力を消費する電力需要部（例えば、家庭、研究所、工場又は事務所など）に備えられる漏電遮断器（Ｃｉｒｃｕｉｔ  Ｂｒｅａｋｅｒ、ＣＢ）と前記複数の照明装置２０との間に位置する。当然、電力供給源Ｓ、漏電遮断器ＣＢ、駆動装置３０及び照明装置２０は、電気連結線（例えば、電線又はケーブルなど）で連結される。
【００４７】
本発明によると、本発明に係る駆動装置３０のみが漏電遮断器ＣＢと照明装置２０との間に設置されればよいので、既存の照明設備、電気連結線及び照明システムをそのまま用いることができ、本発明は、既存の設備取替費用がほとんど要されないという利点を有する。
【００４８】
本発明の一実施例に係る駆動装置３０は、一つのＡＣ―ＤＣコンバーター４０を含み、前記ＡＣ―ＤＣコンバーター４０は、電力供給源Ｓの交流電力が入力される電力入力部４１と、前記交流電力を直流電力に切り替える単一コンバーティング部４３と、前記直流電力を前記複数の照明装置２０に供給する電力出力部４５とを含む。
【００４９】
望ましくは、単一コンバーティング部４３は、複数の照明装置２０全体の消費電力量より大きい定格電力を有するように構成することができる。
【００５０】
ＡＣ―ＤＣコンバーター４０の単一コンバーティング部４３は、従来技術に係るＬＥＤ照明装置に備えられるＡＣ―ＤＣコンバーターに対応する装置であるが、従来技術に係るＬＥＤ照明装置が複数である場合、複数のＡＣ―ＤＣコンバーターをＬＥＤ照明装置に内蔵しなければならないので、本発明に係る単一コンバーティング部４３を備えたＡＣ―ＤＣコンバーター４０の製造費用は、複数のＡＣ―ＤＣコンバーター全体の製造費用に比べて非常に低廉である。また、従来技術に係るＬＥＤ照明装置の場合、小型ＡＣ―ＤＣコンバーターの内蔵のために別途の組立工程を必要とするが、本発明に係るＡＣ―ＤＣコンバーター４０により、照明装置２０は内蔵型小型ＡＣ―ＤＣコンバーターを必要とせず、別途のＡＣ―ＤＣコンバーターの内部装着工程を必要としないので、照明装置２０の製造時間を短縮させることができ、生産性及び製造単価を節減することができる。
【００５１】
また、本発明に係る駆動装置３０は、ＬＥＤ素子２４ａの発光時に放出される熱による損傷が生じないので、本発明は、駆動装置３０の寿命を向上させることができる。その結果、ＬＥＤ照明システム１０全体の寿命も延長させることができる。
【００５２】
図５は、図４の変形実施例に係る駆動装置３０のブロック線図である。
【００５３】
図５に示したように、変形実施例に係る駆動装置３０は、電力供給源Ｓから供給される電力を消費する電力需要部（例えば、家庭、研究所、工場又は事務所など）に備えられる漏電遮断器ＣＢと前記複数の照明装置２０との間に位置する。
【００５４】
変形実施例に係る駆動装置３０において、前記ＡＣ―ＤＣコンバーター４０は、電力供給源Ｓの交流電力が入力される電力入力部４１と、前記交流電力を直流電力に切り替える複数のコンバーティング部４３と、前記直流電力を前記複数の照明装置２０に供給する複数の電力出力部４５とを含む。このとき、望ましくは、前記コンバーティング部４３の数量は、電力出力部４５の数量及び照明装置２０の数量と同一であり得る。
【００５５】
複数のコンバーティング部４３は、複数の電力出力部４５に１対１方式で電気的に連結され、前記複数の電力出力部４５は、前記複数の照明装置２０と１対１方式で電気的に連結される。すなわち、前記複数のコンバーティング部４３は、前記複数の照明装置２０と１対１方式で電気的に連結され、前記複数のコンバーティング部４３は、電源供給源の交流電力を直流電力に切り替え、前記直流電力を前記複数の照明装置２０に供給する。
【００５６】
本発明の変形実施例によると、複数のコンバーティング部４３のうち一部のコンバーティング部４３の寿命が尽きたり、又は一部のコンバーティング部４３が故障したときに該当のコンバーティング部４３のみを取り替えればよいので、照明システムの維持補修費用を節減することができる。
【００５７】
望ましくは、故障したり又は寿命が尽きたコンバーティング部４３の取替容易性を向上させるために、前記複数のコンバーティング部４３はＡＣ―ＤＣコンバーター４０において個別的に着脱できるように装着することができる。
【００５８】
図６は、本発明の他の一実施例に係る駆動装置３０のブロック線図である。
【００５９】
図６に示したように、本発明の他の一実施例に係る駆動装置３０は、複数の照明装置２０を駆動し、前記駆動装置３０は、複数のＡＣ―ＤＣコンバーター４０；５０、前記複数の照明装置２０が要する消費電力量又は駆動装置３０の出力電力量を感知する電力感知部７０と、前記駆動装置３０の作動状態を表示する表示部８０とを含む。
【００６０】
また、前記駆動装置３０は制御部６０を含み、前記制御部６０は、前記電力感知部７０から消費電力量又は出力電力量に対する情報を受信し、前記複数のＡＣ―ＤＣコンバーター４０及び前記表示部８０を制御することができる。
【００６１】
複数のＡＣ―ＤＣコンバーター４０；５０のうち一つのコンバーターはメーンコンバーター４０で、複数のＡＣ―ＤＣコンバーター４０；５０のうち残りのコンバーターはサブコンバーター５０である。ここで、メーンコンバーター４０は、平常時に電力供給源Ｓから供給される交流電力を直流電力に切り替えて前記複数の照明装置２０に供給するコンバーターで、サブコンバーター５０は、前記複数の照明装置２０が前記メーンコンバーター４０の既に設定された定格電力を超える電力を必要とする場合、メーンコンバーター４０の既に設定された定格電力を超える電力を前記複数の照明装置２０に直流電力として供給するコンバーターである。
【００６２】
また、前記サブコンバーター５０は、前記メーンコンバーター４０の寿命が尽きたり、又は前記メーンコンバーター４０が故障したときなどの誤作動時（又は非常時）に複数の照明装置２０を駆動させるように（又は前記複数の照明装置２０に直流電力を供給するように）作動することができる。
【００６３】
すなわち、メーンコンバーター４０のみが平常時に複数の照明装置２０を駆動するために作動し、残りのコンバーターであるサブコンバーター５０は、メーンコンバーター４０の定格電力のみでは複数の照明装置２０を駆動するのに不足する場合、又はメーンコンバーターの誤作動時のみに作動する。
【００６４】
前記メーンコンバーター４０又は前記サブコンバーター５０は、図４に示した一実施例に係るＡＣ―ＤＣコンバーター４０又は図５に示した変形実施例に係るＡＣ―ＤＣコンバーター４０のうち一つであり得る。すなわち、前記メーンコンバーター４０又は前記サブコンバーター５０は、電力供給源Ｓの交流電力が入力される電力入力部４１；５１ａと、前記交流電力を直流電力に切り替える単一コンバーティング部４３；５１ｂと、前記直流電力を前記複数の照明装置２０に供給する電力出力部４５；５１ｃとを含むように構成したり、又は、電力供給源Ｓの交流電力が入力される電力入力部４１；５１ａと、前記交流電力を直流電力に切り替える複数のコンバーティング部４３；５１ｂと、前記直流電力を前記複数の照明装置２０に供給する複数の電力出力部４５；５１ｃとを含むように構成することもできる。
【００６５】
望ましくは、メーンコンバーター４０の定格電力はサブコンバーター５０の定格電力より大きくなり得る。その結果、サブコンバーターは、メーンコンバーターより製造単価の低いＡＣ―ＤＣコンバーターであり得る。
【００６６】
ＡＣ―ＤＣコンバーターが一つのみである場合、ＡＣ―ＤＣコンバーターが故障したり、ＡＣ―ＤＣコンバーターの寿命が尽きたとき、又は複数の照明装置の消費電力量の急増により、複数の照明装置への直流電力供給の中断現象が発生し得る。しかし、本発明の他の一実施例に係る駆動装置は、メーンコンバーターとサブコンバーターを含むことによって、複数の照明装置への電力供給の中断を防止することができ、その結果、複数の照明装置の消灯による使用者の不便を除去することができ、複数の照明装置を全体的に安定的に駆動させることができる。また、平常時にはメーンコンバーターのみを使用し、非常時のみにサブコンバーターを作動させるので、本発明は、状況に応じて駆動装置を効率的に作動させることができる。
【００６７】
以下では、図６に示した他の一実施例に係る駆動装置の作動方法について図７を参考にして具体的に記述する。
【００６８】
図７は、図６の他の一実施例に係る駆動装置３０の作動アルゴリズムを示すフローチャート（Ｓ１００）である。具体的に、図７は、メーンコンバーターの定格電力が複数の照明装置を駆動するのに不足する場合における駆動装置の制御部の作動アルゴリズムを示す。
【００６９】
まず、制御部６０は、平常時の電力供給源Ｓの高電圧交流電力を照明装置２０の駆動に必要な低電圧直流電力に切り替えるために駆動装置３０のメーンコンバーターを作動させる（Ｓ１０１）。
【００７０】
その後、制御部は、電力感知部を通して複数の照明装置の消費電力量を感知する（Ｓ１０３）。
【００７１】
その後、制御部６０は、電力感知部７０で感知された消費電力量に基づいて前記複数のＡＣ―ＤＣコンバーター４０のうち電力供給源の交流電力を供給するコンバーターの数量を決定する。
【００７２】
具体的に、制御部６０は、電力感知部７０で感知された消費電力量がメーンコンバーターの既に設定された定格電力を超えるか否かを判断する（Ｓ１０５）。このとき、前記制御部６０は、前記消費電力量が前記メーンコンバーターの既に設定された定格電力を超えると判断する場合、不足する消費電力量を計算した後（Ｓ１０７）、作動させるサブコンバーターの数量を計算する（Ｓ１０９）。その後、制御部６０は、計算された数量だけサブコンバーターを作動させ（Ｓ１１１）、複数の照明装置２０に直流電力をさらに供給する。
【００７３】
すなわち、前記制御部６０は、電力感知部７０で感知された消費電力量が前記メーンコンバーターの既に設定された定格電力を超えると判断する場合、電力供給源Ｓの交流電力が前記サブコンバーターにさらに供給されるように前記メーンコンバーター又は前記サブコンバーターを制御する。
【００７４】
図８は、図７の作動アルゴリズムの変形実施例に対するフローチャート（Ｓ２００）である。具体的に、図８は、メーンコンバーターの誤作動時における駆動装置の制御部の作動アルゴリズムを示す。
【００７５】
ここで、電力感知部７０は、照明装置２０の消費電力量を感知できるだけでなく、メーンコンバーター又はサブコンバーターの出力電力量も感知できるように構成されることが望ましい。
【００７６】
まず、制御部６０は、平常時の電力供給源Ｓの高電圧交流電力を照明装置２０の駆動に必要な低電圧直流電力に切り替えるために駆動装置３０のメーンコンバーターを作動させる（Ｓ２０１）。
【００７７】
その後、制御部６０は、電力感知部７０を通してメーンコンバーターの出力電力量を感知する（Ｓ２０３）。
【００７８】
その後、制御部６０は、電力感知部７０で感知されたメーンコンバーターの出力電力量に基づいて前記メーンコンバーターの誤作動の有無を判断する（Ｓ２０５）。例えば、前記制御部６０は、メーンコンバーターの出力電力量が現在駆動されている複数の照明装置２０の消費電力量に過度に不足すると判断する場合、又は出力電力量が感知されない場合、前記メーンコンバーターが誤作動していると判断することができる。
【００７９】
このとき、前記制御部６０は、前記メーンコンバーターが誤作動していると判断する場合、複数の照明装置２０に直流電力を供給するためにサブコンバーターを作動させる（Ｓ２０７）。
【００８０】
望ましくは、制御部６０は、前記メーンコンバーター又は前記サブコンバーターの作動状態に対する情報、前記消費電力量が前記メーンコンバーターの定格電力を超えるか否かに対する情報が前記表示部８０に表示されるように前記表示部８０を制御することができる。その結果、使用者がメーンコンバーター又はサブコンバーターの作動状態などを容易に把握することができる。
【００８１】
本明細書では、本発明の好適な実施例を参照して説明したが、該当の技術分野の当業者なら、以下で敍述する特許請求の範囲に記載した本発明の思想及び領域から逸脱しない範囲内で本発明を多様に修正及び変更して実施できるだろう。したがって、変形された実施が基本的に本発明の特許請求の範囲の構成要素を含んでいる場合、これも本発明の技術的範疇に含まれるものと見なすべきである。
【図１】
2014502413.tif 000003
【図２】
2014502413.tif 000004
【図３】
2014502413.tif 000005
【図４】
2014502413.tif 000006
【図５】
2014502413.tif 000007
【図６】
2014502413.tif 000008
【図７】
2014502413.tif 000009
【図８】
2014502413.tif 000010
【国際調査報告】
2014502413.tif 000011
2014502413.tif 000012
2014502413.tif 000013
2014502413.tif 000014